(57)【要約】【課題】表面波および内部伝搬波のばらつきを抑制し、部品点数の増加を抑え、組立作業性に優れた液面位置検出装置を提供すること。【解決手段】液体に浸るように容器７０に設けられ表面波Ｗ１を伝搬する伝搬体２０と、伝搬体２０に振動を与えるとともに反射した表面波Ｗ１を検出する圧電素子５１が設けられた振動発生検出手段５０と、表面波Ｗ１の反射時間から液面位置を算出する位置検出手段６０とを備える液面位置検出装置１０である。伝搬体２０は圧電素子５１を収納する素子収納部３０を備える。圧電素子５１に当接する弾性部材３５と、弾性部材３５の傾斜面３６ｂに当接するスペーサー３６と、スペーサー３６を介して圧電素子５１を素子収納部３０に押圧する押圧部材３７と、を備える。押圧部材３７に設けた第一の係合部３７ａと素子収納部３０に設けた第二の係合部３０ａが係合する。【選択図】  図３
2017062117.tif 000002
【特許請求の範囲】
【請求項１】
液体に浸るように容器に設けられ表面波を伝搬する伝搬体と、
前記伝搬体に振動を与えるとともに反射した表面波を検出する圧電素子が設けられた振動発生検出手段と、
前記圧電素子で検出された信号から表面波の反射時間を計測して液面位置を算出する位置検出手段とを備える液面位置検出装置において、
前記伝搬体と一体的に形成され、一端側に前記圧電素子を収納する素子収納部と、
前記圧電素子が前記素子収納部と当接する面の裏面に当接する弾性部材と、
前記弾性部材が前記圧電素子を当接する面の裏面と当接するスペーサーと、
前記スペーサーと前記弾性部材を介して前記圧電素子を前記素子収納部に押圧する押圧部材と、を備え、
前記スペーサーは、一対の対向する突部の中間点に向かって傾斜するとともに前記押圧部材と当接する傾斜面を設け、
前記押圧部材に、前記素子収納部と係合するための第一の係合部を備え、
前記素子収納部に、前記第一の係合部と係合するための第二の係合部を、
備えることを特徴とする液面位置検出装置。
【請求項２】
前記スペーサーは、前記弾性部材と当接する面の裏面に窪みを備えることを特徴とする請求項１に記載の液面位置検出装置。
【請求項３】
前記第一の係合部は腕部を備えた係止片であり、前記第二の係合部は溝部と連通する貫通孔であることを特徴とする請求項１または請求項２に記載の液面位置検出装置。
【発明の詳細な説明】
【技術分野】
【０００１】
本発明は、超音波を利用し、タンク内の液体の液面を検出する液面位置検出装置に関する。
【背景技術】
【０００２】
液面位置検出装置には、タンク内の液面にフロートを浮かべて液面位置を検出する装置や、タンク内に超音波伝搬体を配置し、液体中の部分を伝搬する表面波の速度と、気体中の部分を伝搬する表面波の速度の差を利用して液面位置を検出する装置がある。このような超音波を利用した液面位置検出装置が各種提案されている（例えば、特許文献１参照）。
【０００３】
特許文献１の液面位置検出装置では、金属製の超音波伝搬体を長手方向が上下になるようにタンク内に配置し、超音波伝搬体の上端部に設けた超音波振動子を振動させる。液体接触部分を伝搬する表面波の速度が、液体から露出する露出部分を伝搬する表面波の速度よりも遅くなることを利用して液面位置が検出される。しかし、超音波伝搬体が金属製であるため、液体接触部分を伝搬する表面波の速度と露出部分を伝搬する表面波の速度が、略同じになり、液面位置の検出精度が悪くなる。この対策として、合成樹脂製の伝搬体を使用した技術が提案されている（例えば、特許文献２参照）。
【０００４】
特許文献２の液面位置検出装置では、合成樹脂製の伝搬体は、長手方向が上下になるようにタンク内に配置されている。伝搬体の上面に設けられた圧電素子を振動させ、伝搬体の表面に表面波を発生させる。伝搬体の下端で反射した表面波が、圧電素子に戻ってくるまでの時間を計測する。液体接触部分を伝搬する表面波の速度が、液体から露出する露出部分を伝搬する表面波の速度よりも遅くなることを利用して液面位置が検出される。圧電素子は、伝搬体の上面に固定部材により押しつけられるように配置されている。
【先行技術文献】
【特許文献】
【０００５】
【特許文献１】特開平４−８６５２５号公報
【特許文献２】特開２０１５−１０８７８号公報
【発明の概要】
【発明が解決しようとする課題】
【０００６】
しかしながら、前述の液面検出装置は、伝搬体に圧電素子を均一に押圧できていない場合、表面波および内部伝搬波の計測時間がばらつく虞があり、改善の余地があった。また、圧電素子を固定するためにビス締めされる蓋などを用いる構造が一般的であった。したがって部品点数の増加や製造工程の複雑化に伴い、製品および製造工程のコストが高くなるという問題があった。
【０００７】
本発明は、伝搬体の上端部に圧電素子を配置し、超音波を利用して液面を検出する液面位置検出装置において、表面波および内部伝搬波のばらつきを抑制し、部品点数の増加を抑え、組立作業性に優れた液面位置検出装置を提供することを目的とする。
【課題を解決するための手段】
【０００８】
本発明の液面位置検出装置１０は、液体８０に浸るように容器７０に設けられ表面波Ｗ１を伝搬する伝搬体２０と、伝搬体２０に振動を与えるとともに反射した表面波Ｗ１を検出する圧電素子５１が設けられた振動発生検出手段５０と、圧電素子５１で検出された信号から表面波Ｗ１の反射時間を計測して液面８１の位置を算出する位置検出手段６０とを備える液面位置検出装置１０であって、伝搬体２０と一体的に形成され、一端側に圧電素子５１を収納する素子収納部３０と、圧電素子５１が素子収納部３０と当接する面の裏面に当接する弾性部材３５と、弾性部材３５が圧電素子５１と当接する面の裏面と当接するスペーサー３６と、スペーサー３６と弾性部材３５を介して圧電素子５１を素子収納部３０に押圧する押圧部材３７と、を備え、スペーサー３６は、一対の対向する突部３６ａの中間点３６ｄに向かって傾斜するとともに押圧部材３７と当接する傾斜面３６ｂを設け、
押圧部材３７に、素子収納部３０と係合するための第一の係合部３７ａを備え、素子収納部３０に、第一の係合部３７ａと係合するための第二の係合部３０ａを、備えたものである。
【０００９】
また、スペーサー３６は、弾性部材３５との接触面（当接する面）３６ｃの裏面に窪み３６ｅを備えたことを特徴とする。
【００１０】
また、第一の係合部３７ａは腕部３７ｂを備えた係止片であり、第二の係合部３０ａは溝部３０ｂと連通する貫通孔であることを特徴とする。
【発明の効果】
【００１１】
スペーサーに傾斜面を設けたことによって、対向する二つの傾斜面が押圧部材の位置決め部となり、押圧部材を取り付ける際に、圧電素子上方の適切な箇所にスペーサーの位置を調整する事ができる。これにより、押圧部材が圧電素子の適切な箇所を適切な強さで押圧する事ができるため、振動伝達強度を確保し、表面波および内部伝搬波の計測時間のばらつきを抑制する事ができる。押圧部材を固定する専用部材が不要となるため、部品点数が削減でき、ひいては製品コスト低減の点で優位性がある。
【００１２】
スペーサーの弾性部材と当接する面の裏面に窪みを備えることによって、スペーサー成形直後の収縮等によるスペーサー自体の歪みを抑制できるため、スペーサーの接触面を弾性部材に均一に押しつけることができる。したがって、振動伝達強度を確保し、表面波および内部伝搬波の計測時間のばらつきを抑制する事ができる。
【図面の簡単な説明】
【００１３】
【図１】本発明に係る液面位置検出装置の構成図である。
【図２】液面検出装置の要部断面図である。
【図３】液面検出装置の要部分解斜視図である。
【図４】液面検出装置の要部斜視図である。
【図５】基板収納部に伝搬体及び素子収納部を組み付ける説明図である。
【図６】圧電素子とリード端子の説明図である。
【図７】上記圧電素子とリード端子の断面図である。
【図８】図２を部分的に拡大した図である。
【発明を実施するための形態】
【００１４】
本発明の実施の形態を添付図面に基づいて以下に説明する。
【実施例】
【００１５】
図１に示すように、液面位置検出装置１０は、容器７０に貯留された液体８０の液面８１の位置を検出する装置である。容器７０は、例えば燃料タンクであり、液体８０は、例えばガソリンである。ガソリンの使用、給油に伴い、液面８１の位置は上下に移動する。なお、容器７０は燃料タンクに限定されず、液体８０を貯留できれば一般的な容器であってもよい。また、液体８０はガソリンに限定されず、アルコール等の燃料や水等でもよく、いずれの液体であっても差し支えない。
【００１６】
液面位置検出装置１０は、液体８０に浸るように設けられ超音波を伝搬する伝搬体２０と、この伝搬体２０に設けられ伝搬体２０に振動を与えるとともに反射した超音波を検出する圧電素子５１が設けられた振動発生検出手段５０と、圧電素子５１で検出された信号から超音波の反射時間を計測して液面位置を算出する位置検出手段６０とを備える。
【００１７】
伝搬体２０の上端部には、圧電素子５１を収納する素子収納部３０が設けられている。素子収納部３０は、その外周部分に溝部３０ｂと接続された貫通孔（第二の係合部）３０ａを備え（図３参照）、この素子収納部３０の収納空間３１と連通するように形成され回路基板４１を収納する基板収納部４０を備える。基板収納部４０は鍔部４２を一体的に備え、この鍔部４２は締結部材４３によって容器７０に締結されている。
【００１８】
伝搬体２０は、樹脂材料からなる。樹脂材料は、例えばポリフェニレンスルファイド（ＰＰＳ）である。伝搬体２０の材料をＰＰＳとすることで、超音波（表面波Ｗ１、内部伝搬波Ｗ２）を良好に伝搬することができる。なお、樹脂材料はＰＰＳに限定されず、超音波を伝搬できれば他の一般的な樹脂であっても差し支えない。
【００１９】
また、伝搬体２０は、上下に長い四角柱形状であり、その途中に切り欠いた溝２１を備えている。この溝２１は、内部伝搬波を反射する内部伝搬波反射部２２を備えている。なお、実施例では伝搬体２０の形状を四角柱としたが、これに限定されず、円柱、三角柱等、上下に長い柱形状であれば他の形状であっても差し支えない。
【００２０】
振動発生検出手段５０は、圧電素子５１と、圧電素子５１を駆動させる信号を送信する回路と、圧電素子で検出した信号を受信する回路とから構成され、これらの回路は回路基板４１に実装されている。
【００２１】
圧電素子５１は、伝搬体２０に表面波Ｗ１と内部伝搬波Ｗ２を発生させるとともに、表面波Ｗ１と内部伝搬波Ｗ２を検出するために、伝搬体２０の端部まで溝２１が設けられていない表面（表面そのものと表面から伝搬体２０の厚さよりも短い所定の深さまでの領域とを含む）の主面２３から圧電素子５１の一部が迫り出すように配置されている。圧電素子５１は、伝搬体２０に振動を与え、伝搬体２０の主面２３に表面波Ｗ１を発生させるとともに、伝搬体２０の内部に内部伝搬波Ｗ２を発生させる。さらに圧電素子５１は、主面２３の下端２４で反射された表面波Ｗ１と、内部伝搬波反射部２２で反射された内部伝搬波Ｗ２とを検出し電圧に変換する。なお、表面波Ｗ１としては、レイリー波、漏洩レイリー波及び横波型弾性表面波（ＳＨ−ＳＡＷ）等があり、内部伝搬波Ｗ２としては、横波がある。
【００２２】
振動発生では、位置検出手段６０が所定周期で出力する駆動信号によって、振動発生検出手段５０の圧電素子５１に電圧が加えられ、圧電素子５１が駆動する。結果、上述した表面波Ｗ１及び内部伝搬波Ｗ２を発生する。
【００２３】
振動検出では、反射した表面波Ｗ１及び反射した内部伝搬波Ｗ２によって、圧電素子５１から出力信号が出力される。結果、出力信号が位置検出手段６０に送られ、液面の位置が算出される。
【００２４】
なお、実施例では、位置検出手段６０を回路基板４１に実装された回路としたが、これに限定されず、位置検出手段６０を基板収納部４０の外部に配置された外部装置に設けても差し支えない。
【００２５】
次に、液面８１の高さを算出する基本原理を説明する。概略を説明すると、液面８１の高さは、表面波Ｗ１の伝搬時間Ｔ１と内部伝搬波Ｗ２の伝搬時間Ｔ２から求められる。以下、詳細に説明する。
【００２６】
表面波Ｗ１の伝搬時間Ｔ１は、位置検出手段６０が駆動信号を出力した時点ｔ１から表面波Ｗ１が発生し、伝搬体２０の下端２４で反射した表面波Ｗ１を圧電素子５１で検出して位置検出手段６０が出力信号を受信した時点ｔ２までの時間である。
【００２７】
内部伝搬波Ｗ２の伝搬時間Ｔ２は、位置検出手段６０が駆動信号を出力した時点ｔ１から内部伝搬波Ｗ２が発生し、伝搬体２０の内部伝搬波反射部２２で反射した内部伝搬波Ｗ２を圧電素子５１で検出して位置検出手段６０が出力信号を受信した時点ｔ３までの時間である。
【００２８】
表面波Ｗ１は、伝搬体２０が液体８０に浸かった部分では、伝搬体２０（主面２３）を進む速度が遅くなる。このため、容器７０内の液面が高い位置にあるほど、Ｔ１が大きくなる。内部伝搬波Ｗ２は、伝搬体２０の内部を進むため、伝搬体２０が液体８０に浸かっている部分に影響されずにＴ２の値が定まる。
【００２９】
内部伝搬波Ｗ２の伝搬時間Ｔ２から、位置検出手段６０のメモリ等に記憶した温度条件を参照し、伝搬体２０の温度を求める。伝搬体２０の温度に基づいて、表面波Ｗ１の伝搬時間Ｔ１の温度補正を行う。伝搬時間Ｔ１の温度補正を行った値から、位置検出手段６０のメモリ等に記憶した情報を参照し、液面８１の高さを算出する。
なお、実施例では温度補正の式については言及しないが、予め決められた補正係数等を考慮して位置検出手段６０によって演算し、温度補正を行うものとする。
【００３０】
次に、液面位置検出装置１０の要部について説明する。
図１〜図４に示すように、液面位置検出装置１０は、上下に長い伝搬体２０と、圧電素子５１が収納された素子収納部３０と、回路基板４１が収納された基板収納部４０とを備える。
【００３１】
伝搬体２０は、上部に素子収納部３０を一体的に備える。素子収納部３０は、側面視で伝搬体２０の主面２３から一部が迫り出すように形成された底面部３２と、この底面部３２から垂直方向に延設された壁部３３とを有する。圧電素子５１は、側面視で主面２３から一部が迫り出すとともに、底面部３２の上面に密着し、底面部３２を介して主面２３の垂直方向に振動を与えるように配置されている。
【００３２】
壁部３３のうち、迫り出し側の壁部３３ａは、主面２３よりも外側（図左側）に位置する。壁部３３のうち、迫り出し側と反対側の壁部３３ｂは、伝搬体２０の主面２３と反対側の裏面２５よりも内側（図左側）に位置する。圧電素子５１の迫り出し側の端部５１ａは、主面２３よりも外側（図左側）に位置する。圧電素子５１の迫り出し側と反対側の端部５１ｂは、反対側の裏面２５よりも内側（図左側）に位置する。圧電素子５１の端部５１ｂが裏面２５から迫り出さないように配置することで、裏面２５にノイズとなる表面波が発生することを防止し、表面波Ｗ１を主面２３側にのみ良好に発生させることができる。なお、圧電素子５１の端部５１ｂが裏面２５から迫り出さないように配置されれば、壁部３３の迫り出し側と反対側の壁部３３ｂが、伝搬体２０の裏面２５よりも外側（図右側）に位置してもよい。
【００３３】
底面部３２及び圧電素子５１は、主面２３から一部が迫り出す領域Ｓ１を有する。このため、圧電素子５１の中央部を主面２３の延長線上に配置することができ、表面波Ｗ１を良好に発生させることができる。さらに、伝搬体２０は樹脂材料からなるので、液体接触部分を伝搬する表面波Ｗ１の速度と露出部分を伝搬する表面波Ｗ１の速度の差を大きくし、液面８１（図１参照）の検出精度を向上させることができる。
【００３４】
圧電素子５１は、例えば、主面２３と垂直に振動するすべり素子からなる。圧電素子５１の振動は、底面部３２を介して伝搬体２０の主面２３に付与され、主面２３に表面波Ｗ１が発生する。また、伝搬体２０の内部には、内部伝搬波Ｗ２が発生する。圧電素子５１は、主面２３の下端２４（図１参照）で反射した表面波Ｗ１及び内部伝搬波反射部２２（図１参照）で反射した内部伝搬波Ｗ２を検出する検出部としての機能も有する。
【００３５】
また、伝搬体２０の上部に素子収納部３０が一体的に設けられているので、圧電素子５１を密閉された素子収納部３０の収納空間３１内に配置して圧電素子５１への液体の接触を防止できる。
【００３６】
素子収納部３０の収納空間３１には、底面部３２の上面にオイル、グリス、接着剤等からなり空気層を遮断するための干渉部材３４が設けられ、この干渉部材３４上に圧電素子５１が設けられ、この圧電素子５１を覆うようにゴム等の弾性部材３５が設けられ、弾性部材３５上に合成樹脂材のスペーサー３６が設けられる。
【００３７】
スペーサー３６は、弾性部材３５の上部に配置され、押圧部材３７で圧電素子５１側に付勢される。また、スペーサー３６は、一対の突部３６ａを備えている。突部３６ａは一対の対向する突部の中間点３６ｄに向かう傾斜面３６ｂを備えている。押圧部材３７組付時に、二つの傾斜面３６ｂが適正な位置となるようにスペーサー３６が圧電素子５１の上方を移動する。さらに、スペーサー３６は、接触面３６ｃの裏面に窪み３６ｅを複数備えている。この窪み３６ｅを設けることで、スペーサー３６の成形後の歪を抑制し、弾性部材３５との接触面３６ｃを平坦にできるため、弾性部材３５を略均一な押圧力で抑えることができる。なお、収納空間３１の幅を圧電素子５１とスペーサー３６に対応させ、スペーサー３６の移動を制限し、二つの傾斜面３６ｂを押圧部材３７の位置決め部としても差し支えない。
【００３８】
押圧部材３７は、金属材からなる板ばね部材であり、素子収納部３０の上部３８に配置されている。図８に示すように、押圧部材３７は、腕部３７ｂから連なる係止片（第一の係合部）３７ａを備えており、素子収納部３０に設けた溝部３０ｂの上部から腕部３７ｂを差込み、係止片３７ａが、溝部３０ｂと連通して接続され素子収納部３０の側面を貫通する貫通孔（第二の係合部）３０ａの圧電素子５１側に係止することによって嵌合固定される。
【００３９】
圧電素子５１は、伝搬体２０の上面（素子収納部３０の底面部３２）に振動面が接触している。押圧部材３７を取り付ける際に、対向する二つの傾斜面３６ｂと押圧部材３７の位置関係を元にスペーサー３６の位置を調整することで、圧電素子５１上方の適切な箇所にスペーサー３６を配置することができる。したがって、押圧部材３７を取り付ける時点でスペーサー３６の位置が僅かにずれていた場合であっても、傾斜面３６ｂによってスペーサー３６の位置が適切な箇所へ移動し調節される。また、取り付け後は押圧部材３７によってスペーサー３６の位置ずれが防止される。さらに、押圧部材３７で弾性部材３５を直接押さないため、平坦面を有するスペーサー３６を介して弾性部材３５が圧電素子５１を均一に押圧することができる。
【００４０】
また、圧電素子５１は、伝搬体２０と対向する面の裏面（図３の上側の面）５１ｃに第一の通電部５１ｅと第一の非通電部５１ｆと、伝搬体２０と対向する面（図３の下側の面）５１ｄに第二の通電部５１ｇと第二の非通電部５１ｈとを備えている（図６，図７参照）。第一の通電部５１ｅ，第二の通電部５１ｇは例えばニッケルメッキによってメッキ処理されている。なお、第一の非通電部５１ｆと第二の非通電部５１ｈとは、メッキ処理が施されていない。
【００４１】
スペーサー３６が押圧部材３７で付勢されることで、圧電素子５１が底面部３２に押圧されるので、周囲環境の温度変化によって生じる圧電素子５１の取付部の精度誤差を吸収し、圧電素子５１を底面部３２に隙間なく押しつけることができる。このため、周囲環境の温度が変化した場合でも、伝搬体２０からの表面波Ｗ１を圧電素子５１で検出し、液面位置の検出精度を向上させることができる。
【００４２】
振動発生検出手段５０は、圧電素子５１と、図示せぬ送信回路及び受信回路を実装した回路基板４１とを備え、圧電素子５１に接続された第一，第二のリード端子５２，５３が回路基板４１に接続されている。弾性部材３５には、第一，第二のリード端子５２，５３を回避する切り欠き３５ａが形成され、第一，第二のリード端子５２，５３はスペーサー３６の外側（例えば、図３右側の突部３６ａの両脇）に配置されている。
【００４３】
また、第一，第二のリード端子５２，５３は同形状であり、圧電素子５１を保持する例えばコの字状の保持部５２ａ，５３ａを備えている。保持部５２ａはメッキ処理が施された第一の通電部５１ｅと接触する接触部５２ａ１と、第二の非通電部５１ｈと接触する接触部５２ａ２を備えている。保持部５３ａは、図７に示すように、メッキ処理が施された第二の通電部５１ｇと接触する接触部５３ａ２と、第一の非通電部５１ｆと接触する接触部５３ａ１を備えている。第二の非通電部５１ｈ及び第一の非通電部５１ｆは、メッキ処理が施されていないため、第一のリード端子５２と第二の通電部５１ｇ、第二のリード端子５３と第一の通電部５１ｅとの間に電気的な絶縁作用を介在させることができる。これにより、第一のリード端子５２は５１ｃ面のみに通電し、第二のリード端子５３は５１ｄ面にのみ通電させることができるため５１ｃ、５１ｄ間に電位差を設けることができる。
したがって、メッキ処理の有無箇所によって、第一，第二のリード端子５２，５３が同じ形状であっても、圧電素子５１に電流を流すことができる。
【００４４】
また、第一，第二のリード端子５２，５３は圧電素子５１と回路基板４１の中間部分に屈曲部５２ｂ，５３ｂを備えており、製造時や使用環境下における振動や熱膨張による第一，第二のリード端子５２，５３の変形が生じた場合であっても、圧電素子５１の保持部５２ａ，５３ａや回路基板４１に加わる応力を緩和することができる。
【００４５】
基板収納部４０は、樹脂材料からなる。樹脂材料は、例えばポリアセタール（ＰＯＭ）である。基板収納部４０及び鍔部４２を構成する材料をポリアセタール（ＰＯＭ）とすることで、基板収納部４０及び鍔部４２の材料を素子収納部３０の材料よりも安価で靭性が高い材料とすることができる。結果、装置全体を安価にし、且つ容器７０への取付強度を向上させることができる。
【００４６】
基板収納部４０は、素子収納部３０の収納空間３１と連通し、回路基板４１を収納するための収納空間４４を備える。基板収納部４０の開口部は、図示せぬシール部材を介してカバー部材４５によって覆われている。このため、素子収納部３０の開口部もカバー部材４５で密閉される状態となる。カバー部材４５は、締結部材４５ａによって基板収納部４０に締結されている。なお、カバー部材４５を基板収納部４０に接着しても差し支えない。
【００４７】
容器７０の上面と基板収納部４０との間は、シール部材４６によってシールされている。シール部材４６は、Ｏリングであるが、シールできれば他の部材であってもよい。また、素子収納部３０の上部３８には、係止片３９が設けられている。
【００４８】
図２、図５に示すように、基板収納部４０には、組み付け用切り欠き部４７が形成されている。素子収納部３０は、素子収納部３０の係止片３９を組み付け用切り欠き部４７に通して回転することで、基板収納部４０へ組み付けられる。素子収納部３０の下部にはフランジ部３９ａが形成されており、フランジ部３９ａと基板収納部４０との間のシール部材４８によってシールされる。シール部材４８は、Ｏリングである。基板収納部４０は、係止片３９とＯリング４８によって挟持して固定された状態となる。
【００４９】
伝搬体２０には、圧電素子５１を配置するための素子収納部３０が一体的に成形され、素子収納部３０には、シール部材４８を介して回路基板４１を収納する基板収納部４０が備えられ、基板収納部４０の開口部がカバー部材４５で覆われる。このため、圧電素子５１が密閉された素子収納部３０の収納空間３１に配置されることになり、気密性を確保し、圧電素子５１及び回路基板４１への液体の接触を防止することができる。
【００５０】
なお、本発明は上述した実施の形態の構成にて例に挙げて説明したが、本発明はこれに限定されるものではなく、他の構成においても、本発明の要旨を逸脱しない範囲において種々の改良、並びに設計の変更が可能なことはもちろんである。例えば、実施例では素子収納部３０に設けた溝部３０ｂの上部から腕部３７ｂを差込み、係止片（第一の係合部）３７ａによって貫通孔（第二の係合部）３０ａと嵌合固定したが、素子収納部３０の外周部に押圧部材３７の腕部３７ｂを沿え、素子収納部３０の外側から係止片３７ａを貫通孔３０ａに嵌合固定しても差し支えない。また、素子収納部３０の外周部に突部（第一の係合部）を設け、押圧部材３７の腕部３７ｂに貫通孔（第二の係合部）を設け、突部と貫通孔によって嵌合固定しても差し支えない。
【産業上の利用可能性】
【００５１】
本発明は、容器に貯留された液体の液面位置を計測する液面位置検出装置に好適である。
【符号の説明】
【００５２】
１０      液面位置検出装置
２０      伝搬体
２１      溝
２２      内部伝搬波反射部
２３      主面
３０      素子収納部
３０ａ    貫通孔（第二の係合部）
３０ｂ    溝部
３２      底面部
３３      壁部
３５      弾性部材
３６      スペーサー
３６ａ    突部
３６ｂ    傾斜面
３６ｃ    接触面
３６ｄ    一対の対向する突部の中間点
３６ｅ    窪み
３７      押圧部材
３７ａ    係止片（第一の係合部）
３７ｂ    腕部
３７ｃ    押圧片
３９      係止片
３９ａ    フランジ部
４０      基板収納部
４１      回路基板
４２      鍔部
４３      締結部材
４７      切り欠き部
４８      シール部材
５０      振動発生検出手段
５１      圧電素子
５１ａ    端部
５１ｂ    端部
５１ｃ    面（伝搬体と対向する面の裏面）
５１ｄ    面（伝搬体と対向する面）
５１ｅ    第一の通電部
５１ｆ    第一の非通電部
５１ｇ    第二の通電部
５１ｈ    第二の非通電部
５２      第一のリード端子
５２ａ    保持部
５２ａ１  接触部
５２ａ２  接触部
５２ｂ    屈曲部
５３      第二のリード端子
５３ａ    保持部
５３ａ１  接触部
５３ａ２  接触部
５３ｂ    屈曲部
６０      位置検出手段
７０      容器
８０      液体
８１      液面
【図１】
2017062117.tif 000003
【図２】
2017062117.tif 000004
【図３】
2017062117.tif 000005
【図４】
2017062117.tif 000006
【図５】
2017062117.tif 000007
【図６】
2017062117.tif 000008
【図７】
2017062117.tif 000009
【図８】
2017062117.tif 000010